(57)【要約】【課題】趣向性や販促効果を向上させることが可能な液体収容容器に関する。【解決手段】液体を収容可能な容器本体と、容器本体に対する取り付け面に加飾画像が施されたラベルとを備え、容器本体は、その周面の少なくとも一部に凹部を有し、ラベルは、加飾画像が容器本体の凹部と整合するよう、該容器本体に取り付けられており、容器本体の凹部とラベルとの間には、空気層が形成されており、加飾画像と対向する方向から、容器本体と、該容器本体に収容された液体と、空気層とを介して、該加飾画像を視認可能に構成されている。【選択図】図１
2020132187.tif 000002
【特許請求の範囲】
【請求項１】
液体を収容可能な容器本体と、
前記容器本体に対する取り付け面に加飾画像が施されたラベルと
を備え、
前記容器本体は、その周面の少なくとも一部に凹部を有し、
前記ラベルは、前記加飾画像が前記容器本体の凹部と整合するよう、該容器本体に取り付けられており、
前記容器本体の前記凹部と前記ラベルとの間には、空気層が形成されており、
前記加飾画像と対向する方向から、前記容器本体と、該容器本体に収容された液体と、前記空気層とを介して、該加飾画像を視認可能に構成されている
液体収容容器。
【請求項２】
前記容器本体は、該容器本体の周面を周方向に二等分した場合における一方の半周面側の少なくとも一部から内部を視認可能に構成されており、
前記凹部は、他方の半周面側の領域に設けられている
請求項１に記載の液体収容容器。
【請求項３】
前記凹部は、複数設けられている
請求項１又は２に記載の液体収容容器。
【請求項４】
前記凹部は、前記容器本体の径方向内側に向かって延びる内壁と、該内壁によって囲まれた底壁とを有し、
前記底壁は、前記容器本体の径方向外側に向かって突出する曲面からなり、
前記空気層は、前記底壁の少なくとも一部と前記ラベルとの間に形成されている
請求項１〜３いずれか１項に記載の液体収容容器。
【請求項５】
前記容器本体は、円筒状に形成されており、
前記凹部は、前記容器本体の径方向内側に向かって延びる内壁と、該内壁によって囲まれた底壁とを有し、
前記底壁は、前記容器本体の径方向内側に向かって窪む曲面からなり、
前記底壁の曲率は、前記容器本体の曲率と異なり、
前記空気層は、前記底壁と前記ラベルとの間に形成されている
請求項１〜３いずれか１項に記載の液体収容容器。
【請求項６】
前記底壁の曲率は、前記容器本体の曲率よりも小さい
請求項５に記載の液体収容容器。
【請求項７】
前記加飾画像は、文字情報を含む
請求項１〜６いずれか１項に記載の液体収容容器。
【発明の詳細な説明】
【技術分野】
【０００１】
本発明は、液体を収容可能な液体収容容器に関する。
【背景技術】
【０００２】
従来、裏面に絵や文字が印刷されたラベルを透明な容器本体の後壁部分に貼り付けたボトルが知られている（特許文献１〜３等）。これら特許文献１〜３に記載のボトルによれば、ボトルの前壁側から内部を透視した際に、ボトル内の透明な液体によるレンズ効果によってラベル裏面の文字や絵が拡大され、幻想的な印象を与えることが可能となるため、このような工夫のない通常のボトルに比べて、趣向性や販促効果を向上させることが可能となる。
【先行技術文献】
【特許文献】
【０００３】
【特許文献１】特開平１１−２３１７８６号公報
【特許文献２】特開２０００−１２８１７５号公報
【特許文献３】実用新案登録第３２０１６９６号公報
【発明の概要】
【発明が解決しようとする課題】
【０００４】
しかしながら、特許文献１〜３に記載のボトルは、レンズ効果による絵や文字の拡大率の自由度が低く、趣向性や販促効果という観点で改善の余地がある。すなわち、通常、ボトル内の液体によるレンズ効果は、液体の種類や容器本体の周方向の曲率に依存するものであるところ、ボトルは、内部容量に応じて容器本体の大きさや形状が概ね決まっている。このため、同じ容量で同種類の液体を収容するボトルにおいては、レンズ効果による拡大率がほぼ同じとなり、差別化の観点からみて不十分である。また、大容量のボトルにおいては、少量用のボトルと比べて容器本体の曲率が小さくなる（曲率半径が大きい緩やかな円弧となる）ため、ボトル内の液体によるレンズ効果が薄い傾向がある。
【０００５】
本発明は、趣向性や販促効果を向上させることが可能な液体収容容器に関する。
【課題を解決するための手段】
【０００６】
本発明は、液体を収容可能な容器本体と、前記容器本体に対する取り付け面に加飾画像が施されたラベルとを備え、前記容器本体は、その周面の少なくとも一部に凹部を有し、前記ラベルは、前記加飾画像が前記容器本体の凹部と整合するよう、該容器本体に取り付けられており、前記容器本体の前記凹部と前記ラベルとの間には、空気層が形成されており、前記加飾画像と対向する方向から、前記容器本体と、該容器本体に収容された液体と、前記空気層とを介して、該加飾画像を視認可能に構成されている液体収容容器に関する。
【発明の効果】
【０００７】
本発明に係る液体収容容器は、趣向性や販促効果を向上させることが可能である。
【図面の簡単な説明】
【０００８】
【図１】本発明の第１実施形態に係る液体収容容器を概略的に示す斜視図である。
【図２】図２（ａ）は、第１実施形態に係る液体収容容器を分解した状態を示す背面斜視図であり、図２（ｂ）は、同状態を示す正面斜視図である。
【図３】第１実施形態に係る液体収容容器の水平断面図である。
【図４】図４（ａ）は、第１実施形態に係る液体収容容器に透明液体を収容させる前の状態を示す正面図であり、図４（ｂ）は、第１実施形態に係る液体収容容器に透明液体を収容させた状態を示す正面図である。
【図５】本発明の第２実施形態に係る液体収容容器を概略的に示す斜視図である。
【図６】第２実施形態に係る液体収容容器の水平断面図である。
【図７】図７（ａ）は、第２実施形態に係る液体収容容器に透明液体を収容させる前の状態を示す正面図であり、図７（ｂ）は、第２実施形態に係る液体収容容器に透明液体を収容させた状態を示す正面図である。
【図８】図８（ａ）〜図８（ｄ）は、凹部の底壁の形状についてそれぞれ異なる例を示す水平断面図である。
【図９】図９（ａ）〜図９（ｄ）は、凹部の内壁の形状についてそれぞれ異なる例を示す水平断面図である。
【発明を実施するための形態】
【０００９】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１０】
［第１実施形態］
まず、本発明の第１実施形態に係る液体収容容器１について、図１〜図４を用いて説明する。第１実施形態に係る液体収容容器１は、概略的には、液体収容容器１の背面側に凹部１５及びラベル３０を配置し、液体収容容器１の正面側からラベル３０の内面３４に施された加飾画像３６を透視可能にした加飾ボトルである。第１実施形態に係る液体収容容器１は、例えば、シャンプー、消臭剤、除菌剤等の透明な液体を収容して販売するために用いることが可能であるが、これに限定されるものではない。
【００１１】
具体的には、第１実施形態に係る液体収容容器１は、図１に示すように、液体を収容可能な容器本体１０と、ノズルヘッド２２を押し下げる等の使用者の手動操作によって容器本体１０内の液体を抽出可能な抽出ポンプ２０と、容器本体１０の周面の少なくとも一部に取り付けられるラベル３０とを備えている。
【００１２】
容器本体１０は、図１に示すように、円筒状の胴部１１と、胴部１１の上端に連設された切頭円錐台状の肩部１２と、肩部１２の上に立設された小径円筒状の口筒部１３と、胴部１１の下端を閉塞する底部１４とを有する有底筒状に形成されており、内部に液体の収容空間を有している。容器本体１０は、全体が透明に形成されており、ラベル３０によって視界が遮られていない領域（第１実施形態では、容器本体１０の胴部１１の正面１１ａ及び肩部１２）から内部の液体及びラベル３０の内側を視認可能に構成されている。
【００１３】
なお、本明細書の説明において、液体収容容器１又は容器本体１０の「正面」とは、胴部１１の全周面を鉛直方向を境にして周方向に二等分した場合における、商品棚等に陳列される際に購買者側に向けられる側の半周面をいい、「背面」とは、残りの半周面（商品棚等に陳列される際に商品棚等の奥行方向に向けられる側の面）をいうものとする。また、容器本体１０の「周面」とは、胴部１１の正面１１ａ及び背面１１ｂと肩部１２とからなる領域をいうものとする。
【００１４】
胴部１１の正面１１ａは、図１〜図３に示すように、凹凸の無い滑らかな曲面となるよう形成されている。なお、胴部１１の正面１１ａには、商品名、ブランド名、商品情報等の適宜の情報表示（図示せず）が施されていてもよい。一方、胴部１１の背面１１ｂは、一又は複数の凹部１５が形成された曲面となるよう形成されており、ラベル３０が貼り付けられている。第１実施形態に係る容器本体１０において、凹部１５は、比較的小径な円形凹部１５ａと、該円形凹部１５ａを中心として放射状に配された複数（図示の例では８つ）の花びら状の凹部１５ｂとからなる花柄模様の窪みであり、胴部１１の背面１１ｂに複数形成されている。
【００１５】
なお、凹部の形状は、図１〜図３に示す花柄模様の凹部１５に限定されるものではなく、種々の任意の形状を採用することが可能であり、また、凹部の数及び大きさは、任意に変更可能である。さらに、異なる形状や大きさの凹部を複数混在させることも可能である。採用可能な凹部の具体的構成については、後述する。
【００１６】
抽出ポンプ２０は、容器本体１０の口筒部１３から垂下するシリンダポンプ（図示せず）と、使用者が手動操作によって上下動させることにより、シリンダポンプを動作させるノズルヘッド２２とを備えており、容器本体１０の口筒部１３にリングキャップ２４を介して螺合又はアンダーカット嵌合等の手段により着脱可能に装着されている。なお、図１、図２及び図４では、販売時の状態（未使用状態）における抽出ポンプ２０を図示している。抽出ポンプ２０は、種々の公知の構成を採用可能であるため、その詳細な説明を省略する。
【００１７】
ラベル３０は、プラスチックシートや防水加工が施された紙材等の可撓性シート材からなり、図１に示すように、容器本体１０の凹部１５が形成された領域を覆うことが可能な大きさ（第１実施形態では、容器本体１０の胴部１１の背面１１ｂ全域を覆うことが可能な大きさ）を有している。ラベル３０の外面３２には、内容物に関する成分表示、使用方法、使用上の注意、製造者情報等の適宜の商品情報３８が記載されており、ラベル３０の内面３４（すなわち、容器本体１０に対する取り付け面）には、適宜の加飾画像３６が施されている。なお、加飾画像３６は、容器本体１０による後述の凸レンズ機能によって拡大された際に所望の大きさとなるよう、所定の寸法で調整されている。ラベル３０は、自然光環境下において、外面３２の表示内容（商品情報等）が内面３４側に透けない程度の遮光性を有することが好ましい。このような遮光性は、ラベル３０の材質、着色、印刷、厚み等の調整によって実現可能である。
【００１８】
ラベル３０の内面３４に施される加飾画像３６は、容器本体１０の凹部１５の形状に対して関連性のある画像であることが好ましく、図１に示す例では、容器本体１０の凹部１５の花柄模様と関連性のある薔薇の模様を加飾画像として例示している。ただし、加飾画像３６は、図示した薔薇の模様に限定されるものではなく、例えば、円状、角形状及び線状等の単純な模様並びにこれらを任意に組み合わせた幾何学模様、格子柄模様、水玉模様、星柄模様、動植物やキャラクター、文字、写真等の種々の任意の模様を採用することが可能である。また、これらの模様は、ラベル３０の内面３４の全域に亘って設けられても良いし、内面３４の一部にのみ設けられても良い。
【００１９】
ラベル３０は、加飾画像３６が容器本体１０の凹部１５と整合するよう、接着剤等の適宜の接着手段によって容器本体１０の胴部１１の背面１１ｂに貼り付けられている。この際、ラベル３０は、図３に示すように、容器本体１０の凹部１５とラベル３０との間に空気層１８が形成されるよう、容器本体１０の凹部１５に沿って変形することなく容器本体１０の胴部１１に貼り付けられる。なお、ラベル３０は、熱収縮によって胴部１１に圧着される所謂シュリンクラベルであっても良いし、胴部１１に巻き付けて接着剤等の適宜の接着手段で両端部が接着される帯状のフィルム材であっても良い。
【００２０】
なお、本明細書における「整合」とは、加飾画像３６の少なくとも一部と、少なくとも一つの凹部１５の一部とが重なることを意味し、加飾画像３６が全ての凹部１５とぴったり一致した位置に設けられる構成に限定されるものではない。このため、「整合」には、例えば、加飾画像３６の一部のみが凹部１５に被る態様（加飾画像３６が凹部１５に対してずれた位置に設けられる態様）や、一部の凹部１５にのみ加飾画像３６が被る態様（加飾画像３６が被らない凹部１５が存在する態様）等も含まれる。当該「整合」の意味については、後述する第２実施形態においても同様である。
【００２１】
第１実施形態に係る液体収容容器１は、以上の構成を備えることにより、ラベル３０の内面３４の加飾画像３６と対向する方向（容器本体１０の正面１１ａ側）から、容器本体１０と、容器本体１０に収容された液体と、空気層１８とを介して、加飾画像３６を視認可能に構成されている。
【００２２】
このような液体収容容器１において、容器本体１０内に液体が充填されていない状態では、図４（ａ）に示すように、縮尺された加飾画像３６が視認される。一方、容器本体１０内に透明な液体を充填させた状態では、図４（ｂ）に示すように、容器本体１０自体を凸レンズとして機能させて加飾画像３６を拡大させると共に、凹部１５とラベル３０との間に形成された空気層１８によって加飾画像３６を局所的に更に拡大又は縮小させて視認させることが可能となる。また、凹部１５の形状や数及び配置等を任意に変更することで、空気層１８によって拡大させる加飾画像３６の範囲や形状等を任意に変更することが可能となる。
【００２３】
このように、第１実施形態に係る液体収容容器１によれば、容器本体１０自体を凸レンズとして利用する一定倍率の通常のレンズ効果だけではなく、任意に形状を設定することが可能な空気層１８を更に利用することで、付加的なレンズ効果を局所的に又は全体的に付与することが可能となる。これにより、第１実施形態に係る液体収容容器１によれば、凹部１５内と凹部１５外とで拡大率又は縮小率を異ならせることが可能となるため、レンズ効果による加飾画像３６の拡大又は縮小の率や範囲等の自由度を高めることが可能となり、特許文献１〜３に記載されたような従来のボトルと比べて、趣向性や販促効果を向上させることが可能となる。
【００２４】
さらに、第１実施形態に係る液体収容容器１によれば、容器本体１０の胴部１１に凹部１５を形成してレンズ効果を高める構成であるため、胴部１１に凸部を設けてレンズ効果を高める構成と比較して、ラベル３０のシワ等の発生を抑制することが可能となる。
【００２５】
［第２実施形態］
次に、本発明の第２実施形態に係る液体収容容器１´について、図５〜図７を用いて説明する。第２実施形態に係る液体収容容器１´は、概略的には、液体収容容器１´の正面側に凹部１５´及びラベル３０´の被覆領域３０ａを配置し、液体収容容器１´の背面側からラベル３０´の内面３４´に施された加飾画像３６´を透視可能にした加飾ボトルである。なお、第２実施形態に係る液体収容容器１´において、第１実施形態に係る液体収容容器１と共通する構成については説明を省略し、異なる構成のみについて説明する。
【００２６】
容器本体１０´の胴部１１´は、図１に示すように、凹部１５´が形成された正面１１ａ´と、凹凸の無い滑らかな曲面となるよう形成された背面１１ｂ´とを有している。第２実施形態に係る容器本体１０´において、凹部１５´は、ラベル３０´の加飾画像３６´を囲うことが可能な程度の大きさを有する矩形状に形成されている。
【００２７】
凹部１５´は、図１に示すように、凹部１５´の外形を形成する４つの内壁１６と、内壁１６に囲われた底壁１７とを有している。内壁１６は、胴部１１´の周面から容器本体１０´の径方向内側に向かって傾斜して延びる傾斜面からなる。底壁１７は、胴部１１´の周面よりも径方向内側において、容器本体１０´の径方向外側に向かって突出かつ周方向に湾曲した曲面からなる。底壁１７の曲率は、胴部１１´の周面の曲率とほぼ同一である。
【００２８】
ラベル３０´は、図１に示すように、円筒状に形成されており、周方向に二等分した場合における半周面が、所定の遮光性を有する被覆領域３０ａを構成し、残りの半周面が、透明又は透視可能な程度の透過性を有する透視領域３０ｂを構成している。
【００２９】
被覆領域３０ａの外面３２´には、商品名等の適宜の情報表示（図示せず）が施されており、内面３４´（すなわち、容器本体１０´に対する取り付け面）には、適宜の加飾画像３６´が施されている。第２実施形態に係るラベル３０´において、加飾画像３６´は、図７に示すように、例えば、内容物に関する成分表示、使用方法、使用上の注意、製造者情報等の適宜の文字情報であり、容器本体１０´によるレンズ効果及び凹部１５´によるレンズ効果によって拡大された際に所望の大きさとなるよう、所定の寸法で調整されている。被覆領域３０ａの遮光性は、自然光環境下において、外面３２´の情報表示が内面３４´側に透けない程度に設定されることが好ましい。なお、加飾画像３６´は、文字情報に限定されるものではなく、例えば、幾何学模様、格子柄模様、水玉模様、動植物やキャラクター、写真等の種々の任意の模様を採用することが可能である。また、これらの模様は、ラベル３０´の内面３４´の全域に亘って設けられても良いし、内面３４´の一部にのみ設けられても良い。
【００３０】
ラベル３０´は、加飾画像３６´が容器本体１０´の凹部１５´と整合するよう、熱収縮等により容器本体１０´の胴部１１´に取り付けられている。この際、ラベル３０´は、図６に示すように、容器本体１０´の凹部１５´とラベル３０´との間に空気層１８´が形成されるよう、容器本体１０´の凹部１５´に沿って変形することなく容器本体１０´の胴部１１´に取り付けられる。なお、ラベル３０´は、熱収縮によって胴部１１´に圧着される所謂シュリンクラベルであっても良いし、胴部１１´に巻き付けて接着剤等の適宜の接着手段で両端部が接着される帯状のフィルム材であっても良い。また、第１実施形態において説明したラベル３０のように、胴部１１´に貼り付けられる構成としても良い。
【００３１】
以上の構成を備える液体収容容器１´においても、第１実施形態に係る液体収容容器１と同様に、ラベル３０´の内面３４´の加飾画像３６´と対向する方向（容器本体１０´の背面１１ｂ´側）から、容器本体１０´と、容器本体１０´に収容された液体と、空気層１８´とを介して、加飾画像３６´を視認可能である。
【００３２】
このため、第２実施形態に係る液体収容容器１´においても同様に、図７（ａ）及び図７（ｂ）に示すように、容器本体１０´内に透明な液体を充填させた状態において、容器本体１０´自体を凸レンズとして機能させて加飾画像３６´を拡大させると共に、凹部１５´とラベル３０´との間に形成された空気層１８´によって加飾画像３６´を更に拡大させて視認させることが可能となる。
【００３３】
以上のとおり、第２実施形態に係る液体収容容器１´によっても、第１実施形態に係る液体収容容器１と同様に、容器本体１０´自体を凸レンズとして利用する一定倍率の通常のレンズ効果だけではなく、任意に形状を設定することが可能な空気層１８´を更に利用してレンズ効果を局所的に又は全体的に高めることが可能となるため、レンズ効果による加飾画像３６´の拡大率や拡大範囲の自由度を高めることが可能となり、特許文献１〜３に記載されたような従来のボトルと比べて、趣向性や販促効果を向上させることが可能となる。
【００３４】
特に、第２実施形態に係る液体収容容器１´では、ラベル３０´の内面３４´に施された商品情報（内容物に関する成分表示や製造者情報等）の特に文字情報を拡大させて視認することが可能となるため、視力の乏しい購買者であっても商品表示を見易いという利点を有する。
【００３５】
また、第２実施形態に係る液体収容容器１´では、第１実施形態に係る液体収容容器１の上述した他の利点に加えて、凹部１５´の内壁１６によって、加飾画像３６´が額縁で囲われたような視認効果を得ることも可能となる。これは、凹部１５´の内壁１６が傾斜面であり、該傾斜面によって光が反射又は屈折して透過することにより現出される現象であると推察される。
【００３６】
以上、本発明の好適な実施形態として第１及び第２実施形態を例示して説明したが、本発明の技術的範囲は、上述した実施形態に記載の範囲には限定されない。上記各実施形態には、多様な変更又は改良を加えることが可能である。
【００３７】
［凹部形状の具体的構成及び代替例］
例えば、上述した実施形態では、凹部の形状が花柄模様や矩形状であるものとして説明したが、これらの形状に限定されるものではなく、ラベルの内面との間に空気層を形成可能な形状であれば、種々の任意の形状を採用することが可能である。
【００３８】
例えば、凹部を平面視した場合の形状は、円状、角形状及び線状等の単純な形状並びにこれらを任意に組み合わせた幾何学形状や、格子柄形状、水玉形状、星柄形状、動植物やキャラクターの形状等の種々の形状を採用可能である。
【００３９】
また、凹部の断面形状は、ラベルの内面との間に空気層を形成可能な程度の深さを有し、かつ、ラベル内面の加飾画像を拡大又は縮小可能な形状であれば、容器本体の中心軸に対して垂直な断面（水平断面）及び容器本体の中心軸に対して平行な断面（鉛直断面）の双方において、種々の断面形状を採用することが可能であり、例えば、以下の（１）〜（４）の断面形状を採用することが可能である。ただし、これらの断面形状に限定されるものではない。なお、本明細書の説明において、「曲率」とは、単に、曲がりの程度を意味しており、曲がりの向きについては考慮しないものとする（＋−を考慮しない絶対値とする）。
（１）  凹部の底壁が、容器本体の径方向外側に向かって突出する曲面からなる構成。
（２）  凹部の底壁が、容器本体の径方向内側に向かって窪む曲面からなり、該底壁の曲率が容器本体の曲率よりも小さい構成。
（３）  凹部の底壁が、容器本体の径方向内側に向かって窪む曲面からなり、該底壁の曲率が容器本体の曲率よりも大きい構成。
（４）  凹部の底壁が、容器本体の中心軸に対して平行な平面からなる構成。
【００４０】
［上記（１）に係る凹部の例示］
上記（１）に係る構成を有する凹部の一例を図８（ａ）に示す。図８（ａ）は、容器本体の水平断面における凹部の断面形状を概略的かつ強調して示すものである。図８（ａ）に図示した凹部１５Ａは、第２実施形態に係る液体収容容器１´の凹部１５´と同様に、容器本体の径方向内側に向かって延びる内壁１６Ａと、内壁１６Ａによって囲まれた底壁１７Ａとを有している。
【００４１】
底壁１７Ａは、容器本体の径方向外側に向かって突出する曲面からなる。底壁１７Ａの曲率は、図示の例では容器本体の胴部１１Ａの曲率とほぼ同じ曲率であり、底壁１７Ａとラベル３０Ａとの間には、空気層１８Ａが形成されている。ただし、これに限定されず、容器本体の胴部１１Ａの曲率よりも小さい曲率（容器本体の胴部１１Ａの円弧よりも底壁１７Ａの円弧の方が緩やかな構成）であっても良いし、容器本体の胴部１１Ａの曲率よりも大きい曲率（底壁１７Ａの円弧よりも器本体の胴部１１Ａの円弧の方が緩やかな構成）であっても良い。なお、容器本体の胴部１１Ａの曲率よりも底壁１７Ａの曲率の方が大きい場合には、底壁１７Ａの一部（頂点部分）がラベル３０Ａと接触する場合があるが、底壁１７Ａの他の部分とラベル３０Ａとの間に空気層１８Ａが形成される限り、当該構成も許容される。
【００４２】
このような凹部１５Ａによれば、第２実施形態に係る液体収容容器１´の凹部１５´と同様に、容器本体内に透明な液体を充填させた状態において、容器本体自体を凸レンズとして機能させてラベル３０Ａの内側に施された加飾画像を拡大させると共に、凹部１５Ａによって該加飾画像を局所的に又は全体的に更に拡大させて視認させることが可能となる。なお、凹部１５Ａによる拡大の倍率は、底壁１７Ａの曲率や、底壁１７Ａとラベル３０Ａとの距離（すなわち、内壁１６Ａの長さ）等により調整することが可能である。そして、このような凹部１５Ａを備える液体収容容器によれば、容器本体自体を凸レンズとして機能させる通常のレンズ効果よりも、ラベル３０Ａの内側に施された加飾画像を立体的に見せる加飾効果をより一層向上させることが可能となるため、特許文献１〜３に記載されたような従来のボトルと比べて、趣向性や販促効果を向上させることが可能となる。
【００４３】
［上記（２）に係る凹部の例示］
上記（２）に係る構成を有する凹部の一例を図８（ｂ）に示す。図８（ｂ）は、容器本体の水平断面における凹部の断面形状を概略的かつ強調して示すものである。図８（ｂ）に図示した凹部１５Ｂは、容器本体の径方向内側に向かって延びる内壁１６Ｂと、内壁１６Ｂによって囲まれた底壁１７Ｂとを有している。底壁１７Ｂは、容器本体の径方向内側に向かって窪む曲面からなり、底壁１７Ｂとラベル３０Ｂとの間には、空気層１８Ｂが形成されている。また、底壁１７Ｂは、その曲率が容器本体の胴部１１Ｂの曲率よりも小さくなるよう構成されている。
【００４４】
このような凹部１５Ｂによっても、上記（１）に係る凹部１５Ａと比較すると拡大率は低下するものの、上記（１）に係る凹部１５Ａと同様に、ラベル３０Ｂの内側に施された加飾画像を局所的に又は全体的に更に拡大させて視認させることが可能となり、これにより、特許文献１〜３に記載されたような従来のボトルと比べて、趣向性や販促効果を向上させることが可能となる。なお、凹部１５Ｂによる拡大の倍率は、底壁１７Ｂの曲率や、底壁１７Ｂとラベル３０Ｂとの距離（すなわち、内壁１６Ｂの長さ）等により調整することが可能である。
【００４５】
［上記（３）に係る凹部の例示］
上記（３）に係る構成を有する凹部の一例を図８（ｃ）に示す。図８（ｃ）は、容器本体の水平断面における凹部の断面形状を概略的かつ強調して示すものである。図８（ｃ）に図示した凹部１５Ｃにおいて、底壁１７Ｃは、その曲率が容器本体の胴部１１Ｃの曲率よりも大きくなるよう構成されている。なお、凹部１５Ｃにおいて、底壁１７Ｃの曲率以外の構成については、上記（２）に係る凹部１５Ｂと同様であるため、その説明を省略する。
【００４６】
このような凹部１５Ｃによれば、上記（１）に係る凹部１５Ａ及び上記（２）に係る凹部１５Ｂとは逆に、ラベル３０Ｃの内側に施された加飾画像を局所的に又は全体的に縮小させて視認させることが可能となる。そして、このような凹部１５Ｃを備える液体収容容器によれば、容器本体自体を凸レンズとして機能させて全体を拡大させつつ、凹部１５Ｃと被る部分をそれ以外の部分よりも縮小させて視認させることが可能となるため、特許文献１〜３に記載されたような従来のボトルと比べて、趣向性や販促効果を向上させることが可能となる。なお、凹部１５Ｃによる縮小の倍率は、底壁１７Ｃの曲率や、底壁１７Ｃとラベル３０Ｃとの距離（すなわち、内壁１６Ｃの長さ）等により調整することが可能である。
【００４７】
［上記（４）に係る凹部の例示］
上記（４）に係る構成を有する凹部の一例を図８（ｄ）に示す。図８（ｄ）は、容器本体の水平断面における凹部の断面形状を概略的かつ強調して示すものである。図８（ｄ）に図示した凹部１５Ｄは、容器本体の径方向内側に向かって延びる内壁１６Ｄと、内壁１６Ｄによって囲まれた底壁１７Ｄとを有している。底壁１７Ｄは、容器本体の中心軸に対して平行な平面（すなわち、曲率がゼロの面）からなり、底壁１７Ｄとラベル３０Ｄとの間には、空気層１８Ｄが形成されている。
【００４８】
このような構成の凹部１５Ｄでは、上記（１）〜（３）に係る凹部１５Ａ〜１５Ｃとは異なり、凹部１５Ｄの部分において、容器本体１０自体を凸レンズとして機能させる通常のレンズ効果自体が発揮されず、ラベル３０Ｄの内側に施された加飾画像を液体が充填される前の状態の寸法で視認することが可能となる。すなわち、このような凹部１５Ｄを備える液体収容容器では、凹部１５Ｄと被る部分については元の寸法で視認され、凹部１５Ｄと被る部分以外の部分については容器本体自体を凸レンズとして機能させた通常のレンズ効果により拡大して視認されることとなる。このような液体収容容器によれば、凹部１５Ｄと被る部分をそれ以外の部分よりも相対的に小さく視認させることが可能となり、両部分との差別化（明確化）を図ることが可能となるため、特許文献１〜３に記載されたような従来のボトルと比べて、趣向性や販促効果を向上させることが可能となる。
【００４９】
なお、凹部の内壁は、上述した構成に限定されず、底壁とラベルの内面との間に空気層を形成可能な構成であれば、種々の構成を採用することが可能である。例えば、図９（ａ）に示すように、容器本体の径方向内側に向かって湾曲して延びる形状の内壁１６ａとしても良いし、図９（ｂ）に示すように、容器本体の径方向内側に向けて平行に延びる形状の内壁１６ｂとしても良いし、図９（ｃ）に示すように、容器本体の径方向内側に向かけて先細りとなるよう傾斜して延びる形状の内壁１６ｃとしても良いし、図９（ｄ）に示すように、容器本体の径方向内側に向けて先広がりとなるよう傾斜して延びる形状の内壁１６ｄとしても良い。
【００５０】
凹部の内壁及び底壁は、容器本体の胴部の凹部以外の部分の肉厚とほぼ同じ肉厚であることが好ましい。このように、凹部とそれ以外の部分との厚みが均一に形成されることにより、凹部とそれ以外の部分との透過性を均一にすることが可能となるため、胴部の内側の視認性を向上させることが可能となる。
【００５１】
［他の構成の代替例］
上述した実施形態では、容器本体の全体が透明であるものとして説明したが、これに限定されず、ラベル内面の加飾画像を透視可能な程度の透過性を有していれば良く、また、容器本体の一部のみに該透過性を有する透視窓を形成する構成としても良い。このように容器本体に透視窓を形成する場合には、ラベルについても同様に、該透視窓と整合する位置のみに透視領域を有する構成としても良い。
【００５２】
上述した実施形態では、容器本体の透視側の面（第１実施形態では胴部の正面、第２実施形態では胴部の背面）が凹凸の無い滑らかな曲面からなるものとして説明したが、これに限定されず、ラベル内面の加飾画像に対する視認性を阻害しない範囲において、透視側の面に凹部や凸部が形成されても良い。
【００５３】
上述した実施形態では、容器本体の胴部に凹部が設けられるものとして説明したが、これに限定されず、容器本体の肩部に凹部が設けられ、この凹部の少なくとも一部を覆うようにラベルが設けられる構成としても良い。
【００５４】
上述した実施形態では、容器本体が円筒状に形成されるものとして説明したが、これに限定されず、角筒状に形成されても良い。
【００５５】
上述した実施形態では、液体収容容器が抽出ポンプを備えるものとして説明したが、これに限定されず、トリガー式液体噴出器やキャップが着脱自在に取り付けられる構成等の種々の任意の構成を採用することが可能である。
【００５６】
上記のような変形例が本発明の範囲に含まれることは、特許請求の範囲の記載から明らかである。
【符号の説明】
【００５７】
１，１´  液体収容容器、１０，１０´  容器本体、１１，１１´，１１Ａ〜１１Ｄ  胴部、１１ａ，１１ａ´  胴部の正面、１１ｂ，１１ｂ´  胴部の背面、１５，１５´，１５Ａ〜１５Ｄ  凹部、１６，１６Ａ〜１６Ｄ，１６ａ〜１６ｄ  内壁、１７，１７Ａ〜１７Ｄ  底壁、１８，１８´，１８Ａ〜１８Ｄ  空気層、３０，３０´，３０Ａ〜３０Ｄ  ラベル、３０ａ  被覆領域、３０ｂ  透視領域、３２，３２´  外面、３４，３４´  内面、３６，３６´  加飾画像
【図１】
2020132187.tif 000003
【図２】
2020132187.tif 000004
【図３】
2020132187.tif 000005
【図４】
2020132187.tif 000006
【図５】
2020132187.tif 000007
【図６】
2020132187.tif 000008
【図７】
2020132187.tif 000009
【図８】
2020132187.tif 000010
【図９】
2020132187.tif 000011